(57)【要約】【課題】光ケーブル網を構成する光ケーブルの属性や状態を迅速に把握する。【解決手段】光ケーブル網を構成する光ケーブル毎に、光ケーブルを特定する情報と、光ケーブルが取り込まれる中継設備を特定する情報と、光ケーブルの属性情報と、を対応付けて記憶する光ケーブル管理データベースと、光ケーブル及び中継設備の接続関係を、光ケーブルを示す線画図形及び中継設備を示す図形により示す系統図の表示要求の入力を受ける系統図表示要求入力部と、各光ケーブルを特定する情報と、各中継設備を特定する情報とに基づいて系統図を生成する系統図生成部と、生成された系統図を表示すると共に、各光ケーブルの属性情報に基づいて、各光ケーブルの属性情報を、各光ケーブルを示す線画図形の近傍にそれぞれ表示する系統図表示部と、を備えることを特徴とする情報処理装置に関する。【選択図】図１
2007164689.tif 000002
【特許請求の範囲】
【請求項１】
光ケーブル網を構成する光ケーブル毎に、光ケーブルを特定する情報と、光ケーブルが取り込まれる中継設備を特定する情報と、光ケーブルの属性情報と、を対応付けて記憶する光ケーブル管理データベースと、
光ケーブル及び中継設備の接続関係を、光ケーブルを示す線画図形及び中継設備を示す図形により示す系統図の表示要求の入力を受ける系統図表示要求入力部と、
前記光ケーブル管理データベースに記憶されている各光ケーブルを特定する情報と、各光ケーブルが取り込まれる中継設備を特定する情報とに基づいて、系統図を生成する系統図生成部と、
前記生成された系統図を表示すると共に、前記光ケーブル管理データベースに記憶されている各光ケーブルの属性情報に基づいて、各光ケーブルの属性情報を、各光ケーブルを示す線画図形の近傍にそれぞれ表示する系統図表示部と、
を備えることを特徴とする情報処理装置。
【請求項２】
請求項１に記載の情報処理装置において、
前記光ケーブルの属性情報は、光ケーブルの長さを示す情報と、光ケーブル内の心線の数を示す情報と、各心線への回線の設定状況を示す情報と、の少なくともいずれかを含むことを特徴とする情報処理装置。
【請求項３】
請求項１に記載の情報処理装置において、
前記光ケーブルの属性情報は、光ケーブル内の心線の数を示す情報と、各心線への回線の設定状況を示す情報と、を含み、
光ケーブルを指定する情報の入力を受ける光ケーブル指定入力部と、
前記光ケーブル管理データベースに記憶されている前記指定された光ケーブル内の心線の数を示す情報と、前記光ケーブル内の各心線への回線の設定状況を示す情報と、に基づいて、前記光ケーブル内において回線が未設定の心線の数の割合を示す値を算出する空き心線率算出部と、
前記算出した割合を示す値をファイルに出力する空き心線率出力部と、
を備えることを特徴とする情報処理装置。
【請求項４】
請求項１に記載の情報処理装置において、
前記光ケーブルの属性情報は、光ケーブル内の各心線が所定数毎に束ねられてなる心線束の数を示す情報と、各心線への回線の設定状況を示す情報と、を含み、
光ケーブルを指定する情報の入力を受ける光ケーブル指定入力部と、
前記光ケーブル管理データベースに記憶されている前記指定された光ケーブル内の心線束の数を示す情報と、前記光ケーブル内の各心線への回線の設定状況を示す情報と、に基づいて、前記光ケーブル内において回線が設定済みの心線を含まない心線束の数の割合を示す値を算出する空き心線束率算出部と、
前記算出した割合を示す値をファイルに出力する空き心線束率出力部と、
を備えることを特徴とする情報処理装置。
【請求項５】
請求項１に記載の情報処理装置において、
前記光ケーブルの属性情報は、光ケーブル内の各心線を特定する情報と、各心線の障害の有無を示す情報と、を含み、
光ケーブル内の心線を指定した、前記心線への回線の設定要求の入力を受ける回線設定要求入力部と、
前記指定された心線に障害がある旨の情報が前記光ケーブル管理データベースに記憶されている場合には、前記心線への回線の設定は行えない旨のメッセージを表示する回線設定不能表示部と、
を備えることを特徴とする情報処理装置。
【請求項６】
光ケーブル網を構成する光ケーブル毎に、光ケーブルを特定する情報と、光ケーブルが取り込まれる中継設備を特定する情報と、光ケーブルの属性情報と、を対応付けて記憶する光ケーブル管理データベースを備える情報処理装置の制御方法であって、
前記情報処理装置が、光ケーブル及び中継設備の接続関係を、光ケーブルを示す線画図形及び中継設備を示す図形により示す系統図の表示要求の入力を受け、
前記情報処理装置が、前記光ケーブル管理データベースに記憶されている各光ケーブルを特定する情報と、各光ケーブルが取り込まれる中継設備を特定する情報とに基づいて、系統図を生成し、
前記情報処理装置が、前記生成された系統図を表示すると共に、前記光ケーブル管理データベースに記憶されている各光ケーブルの属性情報に基づいて、各光ケーブルの属性情報を、各光ケーブルを示す線画図形の近傍にそれぞれ表示する
ことを特徴とする情報処理装置の制御方法。
【請求項７】
光ケーブル網を構成する光ケーブル毎に、光ケーブルを特定する情報と、光ケーブルが取り込まれる中継設備を特定する情報と、光ケーブルの属性情報と、を対応付けて記憶する光ケーブル管理データベースを備える情報処理装置に、
光ケーブル及び中継設備の接続関係を、光ケーブルを示す線画図形及び中継設備を示す図形により示す系統図の表示要求の入力を受ける手順と、
前記光ケーブル管理データベースに記憶されている各光ケーブルを特定する情報と、各光ケーブルが取り込まれる中継設備を特定する情報とに基づいて、系統図を生成する手順と、
前記生成された系統図を表示すると共に、前記光ケーブル管理データベースに記憶されている各光ケーブルの属性情報に基づいて、各光ケーブルの属性情報を、各光ケーブルを示す線画図形の近傍にそれぞれ表示する手順と
を実行させるためのプログラム。
【発明の詳細な説明】
【技術分野】
【０００１】
本発明は、光ケーブル網の管理を支援する情報処理装置、情報処理装置の制御方法およびプログラムに関する。
【背景技術】
【０００２】
近年、情報技術の進歩と共にコンピュータ間で授受されるデータ量が増加し、より高速な通信回線を求める需要者が増加している。それに伴い、光ケーブル網の構築が急速に進められている。  
またこのような光ケーブル網を管理するための様々な技術も開発されている（例えば特許文献１参照）。
【特許文献１】特開２００３−２３３６２９号公報
【発明の開示】
【発明が解決しようとする課題】
【０００３】
光ケーブル網は、多数の光ケーブルが広範囲な地域にわたって複雑に接続されて構成される。  
このような光ケーブル網の管理は、正確かつ確実に行われなければならないが、近年光ケーブル網の利用者が急増し、また光ケーブルの敷設も急速に進められている。  
このため、光ケーブルへの回線の設定作業を迅速に行うことが求められており、作業員が回線の設定の際に光ケーブルの属性や状態を迅速に把握することを可能とする技術が求められている。
【０００４】
本発明は、上記課題を鑑みてなされたものであり、光ケーブル網を構成する光ケーブルの属性や状態を迅速に把握することを可能とする情報処理装置、情報処理装置の制御方法およびプログラムを提供することを主たる目的とする。
【課題を解決するための手段】
【０００５】
上記課題を解決するために、本発明は、光ケーブル網を構成する光ケーブル毎に、光ケーブルを特定する情報と、光ケーブルが取り込まれる中継設備を特定する情報と、光ケーブルの属性情報と、を対応付けて記憶する光ケーブル管理データベースと、光ケーブル及び中継設備の接続関係を、光ケーブルを示す線画図形及び中継設備を示す図形により示す系統図の表示要求の入力を受ける系統図表示要求入力部と、前記光ケーブル管理データベースに記憶されている各光ケーブルを特定する情報と、各光ケーブルが取り込まれる中継設備を特定する情報とに基づいて、系統図を生成する系統図生成部と、前記生成された系統図を表示すると共に、前記光ケーブル管理データベースに記憶されている各光ケーブルの属性情報に基づいて、各光ケーブルの属性情報を、各光ケーブルを示す線画図形の近傍にそれぞれ表示する系統図表示部と、を備えることを特徴とする情報処理装置に関する。
【０００６】
このような態様により、光ケーブルを示す線画図形及び中継設備を示す図形によって、光ケーブル及び中継設備の接続関係を示す系統図を表示する際に、各光ケーブルの属性情報を、各光ケーブルの線画図形の近傍に表示することができるので、各光ケーブルの属性を迅速に把握することが可能となる。またこれにより、光ケーブルへの回線の設定作業の負担を軽減することが可能となる。
【０００７】
また前記光ケーブルの属性情報は、光ケーブルの長さを示す情報と、光ケーブル内の心線の数を示す情報と、各心線への回線の設定状況を示す情報と、の少なくともいずれかを含むようにすることができる。  
このような態様により、回線を設定する際に有用な情報を光ケーブルの近傍に表示させることが可能となる。光ケーブルの長さを示す情報が各光ケーブルの近傍に表示されていれば、例えば、回線を設定するルートの候補が複数ある場合には、回線の設定方針に従って、なるべく距離の短いあるいは長いルートを選んで回線を設定するようにすることが容易に可能となる。また光ケーブル内の心線の数を示す情報が各光ケーブルの近傍に表示されていれば、回線の設定方針に従って、なるべく心線の数の多いあるいは少ない光ケーブルを選んで回線を設定するようにすることも容易に可能となる。また回線の設定状況を示す情報が各光ケーブルの近傍に表示されていれば、回線の設定方針に従って、なるべく回線が未設定の心線の数が多いあるいは少ない光ケーブルを選んで回線を設定することも容易に可能となる。
【０００８】
また前記光ケーブルの属性情報は、光ケーブル内の心線の数を示す情報と、各心線への回線の設定状況を示す情報と、を含み、光ケーブルを指定する情報の入力を受ける光ケーブル指定入力部と、前記光ケーブル管理データベースに記憶されている前記指定された光ケーブル内の心線の数を示す情報と、前記光ケーブル内の各心線への回線の設定状況を示す情報と、に基づいて、前記光ケーブル内において回線が未設定の心線の数の割合を示す値を算出する空き心線率算出部と、前記算出した割合を示す値をファイルに出力する空き心線率出力部と、を備えるようにすることもできる。  
このような態様によって、回線設定時に、設定方針に応じて、なるべく回線の空き心線率（回線が未設定の心線の数の割合）の高いあるいは低い光ケーブルを選んで回線を設定するようにすることも可能となる。なるべく空き心線率の高い光ケーブルを選んで回線を設定するようにした場合には、各光ケーブルに満遍なく回線を設定することができるため、心線を有効に利用することが可能となる。また、算出結果がファイルに出力されるため、回線の使用状況（空き心線状況）を分析することも可能となる。
【０００９】
また前記光ケーブルの属性情報は、光ケーブル内の各心線が所定数毎に束ねられてなる心線束の数を示す情報と、各心線への回線の設定状況を示す情報と、を含み、光ケーブルを指定する情報の入力を受ける光ケーブル指定入力部と、前記光ケーブル管理データベースに記憶されている前記指定された光ケーブル内の心線束の数を示す情報と、前記光ケーブル内の各心線への回線の設定状況を示す情報と、に基づいて、前記光ケーブル内において回線が設定済みの心線を含まない心線束の数の割合を示す値を算出する空き心線束率算出部と、前記算出した割合を示す値をファイルに出力する空き心線束率出力部と、を備えるようにすることもできる。  
このような態様によって、光ケーブル内の各心線が所定数毎に束ねられて心線束を構成している場合であっても、心線束単位に回線の未設定率を算出することができる。このようにすれば、回線の設定状況を心線束単位に管理することが可能となる。
【００１０】
また前記光ケーブルの属性情報は、光ケーブル内の各心線を特定する情報と、各心線の障害の有無を示す情報と、を含み、光ケーブル内の心線を指定した、前記心線への回線の設定要求の入力を受ける回線設定要求入力部と、前記指定された心線に障害がある旨の情報が前記光ケーブル管理データベースに記憶されている場合には、前記心線への回線の設定は行えない旨のメッセージを表示する回線設定不能表示部と、を備えるようにすることもできる。  
このような態様によって、障害のある心線に回線を設定してしまうことを防止することが可能となる。通常１本の光ケーブルには数十本から数千本もの心線が含まれるが、回線設定作業時にいちいちどの心線に障害があるかについて、作業者が把握することは困難である。このため、作業者が回線を設定しようとした心線に障害がある場合には、その旨のメッセージを表示するようにすることによって、回線設定作業時にどの心線に障害があるかについて調査等を行う手間を省き、回線設定の作業効率を向上させることが可能となる。
【００１１】
その他、本願が開示する課題、及びその解決方法は、発明を実施するための最良の形態の欄、及び図面により明らかにされる。
【発明の効果】
【００１２】
光ケーブル網を構成する光ケーブルの属性や状態を迅速に把握することを可能とし、光ケーブル網の維持管理を迅速かつ正確に行い、作業負担を軽減することができる。
【発明を実施するための最良の形態】
【００１３】
＝＝＝全体構成例＝＝＝
本実施の形態にかかる光ケーブル心線管理サーバ２００を含む光ケーブル心線管理システム９００の全体構成を図１に示す。なお光ケーブル心線管理サーバ２００は、特許請求の範囲に記載の情報処理装置に相当する。
【００１４】
＜光ケーブル心線管理システム＞
光ケーブル心線管理システム９００は、光ケーブル心線管理サーバ２００に、利用者端末１００がネットワーク５００を介して通信可能に接続されて構成される。
【００１５】
光ケーブル心線管理システム９００は、光ケーブル網を構成する光ケーブルとクロージャ等の中継設備との接続関係を、光ケーブルを示す線画図形及び中継設備を示す図形により示す系統図をベースにした心線設計・管理用のシステムである。光ケーブル心線管理システム９００においては、局やクロージャ、ドロップクロージャ、建物、ＣＴＦ／ＩＤＦ（Cable Terminating Frame／Intermediate Distribution Frame）、お客様の各情報と、これらを結ぶ光ケーブルの設備状況と運用状況、クロージャ、ＣＴＦ／ＩＤＦ内の心線接続状況及びその運用状況、心線に重畳する回線及びその運用状況を管理することができる。
【００１６】
また光ケーブル心線管理システム９００は、次のような特徴がある。まず系統図全体のつながりを把握しながら複数ルートの検索結果から最適ルートを選択できる。また設備や心線接続の計画管理機能、及び心線に重畳する回線の予約管理機能を有する。さらにＦＴＴＨ（Fiber To The Home）の迅速な設計をおこなうため、通信速度などにおけるレスポンス低下の影響を受けないように配慮されている。またマルチウインドウ環境により、画面上に複数の系統図や各種帳票を開きながら心線や回線の属性編集ができる。またダウンロード機能により、系統図や単線結線図などの図面やデータベース一覧をダウンロードでき、工事仕様書への添付資料などとして利用できる。またアップロード機能により、ケーブル区間毎の所有心線数の更新管理を効率的に行える。
【００１７】
＜光ケーブル心線管理サーバ＞
光ケーブル心線管理サーバ２００は、光ケーブル網の管理を支援するためのコンピュータである。  
光ケーブル網は、複数の光ケーブル内の心線同士を相互に接続して構成される。各光ケーブルには、通常、数十本から数千本もの心線が含まれる。光ケーブルの中には、各心線を所定数ごとにテープ等で束ねて心線束を構成するようにしたものもある。  
また各光ケーブルは、通常数百メートルから数千メートルの長さを有する。そしてクロージャやＣＴＦ／ＩＤＦ等の中継設備に取り込まれる。中継設備に取り込まれた光ケーブルは、他の光ケーブルと接続される場合もあるし、その中継設備を通過する場合もある。
【００１８】
顧客から光通信回線の利用申込があると、光ケーブル網の心線に、顧客用の回線を割り当てる。これにより、顧客はその心線を用いて光通信を行うことができるようになる。回線を設定可能な心線がない場合には、光ケーブルを新たに敷設することが必要になる。設定可能な心線がない場合とは、例えば全ての心線がすでに他の顧客用の回線に割当済みであり、空き心線がない場合や、そもそも光ケーブルの敷設がなされていない場合などである。  
今日の光通信の急速な普及に伴い、光ケーブルの敷設工事や中継設備の設置工事が急ピッチで進められている。また、光ケーブル内の心線への回線設定も次々と行われている。
【００１９】
本実施の形態に係る光ケーブル心線管理サーバ２００は、後述する仕組みにより、系統図に示される各光ケーブルを示す線画図形の近傍に、各光ケーブルの属性情報を表示するようにすることにより、作業者が各光ケーブルの属性を迅速に把握することが可能となる。またこれにより、光ケーブルへの回線の設定作業の負担を軽減することが可能となる。そして、光ケーブル網の管理作業の負担を軽減し、作業効率を向上させることが可能となる。
【００２０】
＜利用者端末＞
利用者端末１００は、光ケーブル心線管理サーバ２００と通信可能に接続され、上記系統図の閲覧等の光ケーブル網の管理作業を行う際に用いられるコンピュータである。なお、光ケーブル網の管理は、利用者端末１００を用いずに行うことも可能である。この場合は、利用者端末１００は無くてもよい。
【００２１】
＝＝＝光ケーブル心線管理サーバ、利用者端末の構成＝＝＝
次に、光ケーブル心線管理サーバ２００、利用者端末１００の構成について説明する。光ケーブル心線管理サーバ２００、利用者端末１００はいずれもコンピュータであり、ハードウェア構成は基本的に同様である。そのため、これらのハードウェア構成をひとつのブロック図にまとめて図２に示す。
【００２２】
＜光ケーブル心線管理サーバ＞
光ケーブル心線管理サーバ２００は、ＣＰＵ（Central Processing Unit）２１０、メモリ２２０、ポート２３０、記録媒体読取装置２４０、入力装置２５０、出力装置２６０、記憶装置２８０を備えたコンピュータである。
【００２３】
ＣＰＵ２１０は光ケーブル心線管理サーバ２００の全体の制御を司るもので、記憶装置２８０に記憶される本実施の形態に係る各種の動作を行うためのコードから構成される光ケーブル心線管理サーバ制御プログラム（特許請求の範囲に記載のプログラムに相当する）７１０をメモリ２２０に読み出して実行することにより、光ケーブル心線管理サーバ２００としての各種機能を実現する。
【００２４】
例えばＣＰＵ２１０により光ケーブル心線管理サーバ制御プログラム７１０が実行され、メモリ２２０やポート２３０、入力装置２５０、出力装置２６０、記憶装置２８０等のハードウェア機器と協働することにより、特許請求の範囲に記載の光ケーブル管理データベース、系統図表示要求入力部、系統図生成部、系統図表示部、光ケーブル指定入力部、空き心線率算出部、空き心線率出力部、空き心線束率算出部、空き心線束率出力部、回線設定要求入力部、回線設定不能表示部が実現される。メモリ２２０は例えば半導体記憶装置により構成することができる。
【００２５】
記録媒体読取装置２４０は、フレキシブルディスクや磁気テープ、コンパクトディスク等の記録媒体４００に記録されているプログラムやデータを読み取るための装置である。読み取られたプログラムやデータはメモリ２２０や記憶装置２８０に格納される。従って、例えば記録媒体４００に記録された光ケーブル心線管理サーバ制御プログラム７１０を、記録媒体読取装置２４０を用いて上記記録媒体４００から読み取って、メモリ２２０や記憶装置２８０に記憶するようにすることができる。記録媒体読取装置２４０は光ケーブル心線管理サーバ２００に内蔵されている形態とすることもできるし、外付されている形態とすることもできる。
【００２６】
記憶装置２８０は、例えばハードディスク装置や半導体記憶装置等とすることができる。記憶装置２８０には、図３に示すように、光ケーブル心線管理サーバ制御プログラム７１０やクロージャ管理データベース６００、局管理データベース６１０、お客様管理データベース６２０、建物管理データベース６３０、ＣＴＦ／ＩＤＦ管理データベース６４０、ケーブル管理データベース６５０、心線管理データベース６６０、心線接続属性管理データベース６７０、系統図管理データベース６８０が記憶される。特許請求の範囲に記載の光ケーブル管理データベースは、ケーブル管理データベース６５０と心線管理データベース６６０とにより実現される。
【００２７】
クロージャ管理データベース６００はクロージャを管理するためのデータベースである。クロージャは、光ケーブル網において各光ケーブルを取り込む中継設備の一つである。クロージャ管理データベース６００を図５に示す。クロージャ管理データベース６００の”クロージャ種別”欄には、クロージャの種類を示す情報が記載される。クロージャの種類としては「クロージャ」や「ドロップクロージャ」がある。”クロージャ名称”欄には、クロージャを特定する情報が記載される。”接続情報（ケーブル名称）”欄には、各クロージャに取り込まれる光ケーブルを特定する情報として光ケーブルの名称が記載される。また”接続情報（区間名称）”欄には、当該光ケーブルの両端部が取り込まれる中継設備を特定する情報が記載される。”運用状況”欄には、当該クロージャの運用状況が記載される。”系統図”欄には、当該クロージャを対象地域内に含む系統図を特定する情報が記載される。
【００２８】
局管理データベース６１０は、局を管理するためのデータベースである。局は、光ケーブル網において各光ケーブルを取り込む中継設備の一つである。局管理データベース６１０を図６に示す。局管理データベース６１０の”局名称”欄には、局を特定する情報として局の名称が記載される。”建物名称”欄には、局の所在地を示す建物の名称が記載される。”系統図”欄には、当該局を対象地域内に含む系統図を特定する情報が記載される。”遷移先系統図”欄には、当該局の内部における光ケーブルや中継設備の接続関係が詳細に記載された系統図を特定する情報が記載される。
【００２９】
お客様管理データベース６２０は、光ケーブル網を利用するお客様を管理するためのデータベースである。お客様管理データベース６２０を図７に示す。”お客様名称”欄にはお客様を特定する情報としてお客様の名称が記載される。”建物名称”欄には、お客様の所在地を示す建物の名称が記載される。”系統図”欄には、当該お客様を対象地域内に含む系統図を特定する情報が記載される。
【００３０】
建物管理データベース６３０は、局やお客様の所在地を示す建物の情報を管理するためのデータベースである。建物は、光ケーブル網において各光ケーブルを取り込む中継設備の一つである。建物管理データベース６３０を図８に示す。”ラベル”欄には、建物を特定する情報として建物の名称が記載される。”遷移先系統図”欄には、その建物の内部における光ケーブルや中継設備の接続関係が詳細に記載された系統図を特定する情報が記載される。”系統図”欄には、当該建物を対象地域内に含む系統図を特定する情報が記載される。
【００３１】
ＣＴＦ／ＩＤＦ管理データベース６４０は、局やお客様の建物内に設置されるＣＴＦ／ＩＤＦを管理するためのデータベースである。ＣＴＦ／ＩＤＦは、光ケーブル網において各光ケーブルを取り込む中継設備の一つである。ＣＴＦ／ＩＤＦ管理データベース６４０を図９に示す。”ＣＴＦ／ＩＤＦ名称”欄には、ＣＴＦ／ＩＤＦを特定する情報が記載される。”接続情報（ケーブル名称）”欄には、各ＣＴＦ／ＩＤＦに取り込まれる光ケーブルを特定する情報が記載される。また”接続情報（区間名称）”欄には、当該光ケーブルの両端部が取り込まれる中継設備を特定する情報が記載される。”系統図”欄には、当該ＣＴＦ／ＩＤＦを対象地域内に含む系統図を特定する情報が記載される。
【００３２】
ケーブル管理データベース６５０は、光ケーブル網を構成する各光ケーブルを管理するためのデータベースである。ケーブル管理データベース６５０を図１０に示す。”ケーブル名称”欄には、各光ケーブルを特定する情報が記載される。また”ケーブル区間名称”欄には、当該光ケーブルの両端部が取り込まれる中継設備をそれぞれ特定する情報が記載される。”テープ種別”欄には、光ケーブル内の各心線束内の心線数が記載される。テープ種別欄に「２」と記載されている場合には、各心線束には２本の心線が含まれることを示す。なお心線束内の心線の数としては、「２」の他に「１」や「４」、「８」の場合もある。”ケーブル総心線数”欄には、光ケーブル内の心線の数が記載される。光ケーブル内の心線の数を心線束内の心線数で割った値は、光ケーブル内の心線束の数を表す。”ケーブル実長”欄には、光ケーブルの長さを示す情報が記載される。”系統図”欄には、当該光ケーブルを対象地域内に含む系統図を特定する情報が記載される。
【００３３】
心線管理データベース６６０は、各光ケーブル内の各心線を管理するためのデータベースである。心線管理データベース６６０を図１１に示す。”ケーブル名称”欄には、各心線を含む光ケーブルを特定する情報が記載される。”ケーブル区間名称”欄には、各光ケーブルの両端部が取り込まれる中継設備を特定する情報が記載される。”心線番号”欄には、各心線を特定する情報が記載される。”テープ番号”欄には、各心線束を特定する情報が記載される。”空き状態”欄には、各心線への回線の設定状況を示す情報が記載される。「使用中」と記載されている場合には、当該心線には回線が設定済みであることを示す。「空き」と記載されている場合には、当該心線には回線が設定済みでも設定予約済みでもないことを示す。”心線状態”欄には、各心線の障害の有無を示す情報が記載される。「不良」と記載されている場合には、その心線に障害があることを示す。”心線所有者”欄には、各心線の所有者を特定する情報が記載される。
【００３４】
心線接続属性管理データベース６７０は、中継設備毎に、中継設備を特定する情報と、中継設備に取り込まれる光ケーブルの本数を示す情報と、中継設備に取り込まれる各光ケーブルの各心線を特定する情報と、上記各心線とそれぞれ接続される相手方の各心線を特定する情報と、を対応付けて記憶するデータベースである。心線接続属性管理データベース６７０を図１２に示す。”設備名称”欄には、クロージャやＣＴＦ／ＩＤＦの名称等の中継設備を特定する情報が記載される。”左側ケーブル区間名称”欄に記載される光ケーブルと、”右側ケーブル区間名称”欄に記載される光ケーブルとは、それぞれ中継設備に取り込まれ、互いの心線同士が接続されている光ケーブルであることを示す。そして、”左側ケーブル区間名称”欄、及び”右側ケーブル区間名称”欄に記載される光ケーブルの合計が、当該中継設備に取り込まれる光ケーブルの本数を表す。なお、他の光心線と接続されない光心線の場合または管理しない光ケーブル等と接続されている場合には、”接続・終端”欄には、「終端」と記載される。また”方式”欄には、光ケーブルの心線同士を接続する際の接続方法が記載される。接続方法としては、「融着」、「コネクタ接続」、「通過」、「カプラ接続」等がある。”ロス値”欄には、光の減衰量を示す情報が記載される。光の減衰量は、心線同士の接続方法に応じて定まる。図１２に示す例では、「融着」の場合は０．４（ｄＢ）、「通過」の場合は０（ｄＢ）である。
【００３５】
系統図管理データベース６８０は、光ケーブル網を構成する光ケーブル及び中継設備の接続関係を示す系統図に関する情報を記憶するデータベースである。系統図管理データベース６８０を図１３に示す。”系統図名称”欄には各系統図の名称が記載される。また”系統図番号”欄には、各系統図の識別番号が記載される。”リンク系統図”欄には、中継設備同士が光ケーブルで接続（リンク）される他の地域の系統図を特定する情報が記載される。”リンク元設備”欄には、他の地域の中継設備と光ケーブルで接続される当該地域の中継設備を特定する情報が記載される。”リンク先設備”欄には、上記リンク元の中継設備と光ケーブルで接続されるリンク先の中継設備を特定する情報が記載される。”リンク光ケーブル”欄には、上記リンク元の中継設備とリンク先の中継設備とを接続する光ケーブルを特定する情報が記載される。
【００３６】
図２に戻って、入力装置２５０は光ケーブル心線管理サーバ２００へのデータ入力等のために用いられる装置でありユーザインタフェースとして機能する。入力装置２５０としては例えばキーボードやマウス等を用いることができる。  
出力装置２６０は情報を外部に出力するための装置でありユーザインタフェースとして機能する。出力装置２６０としては例えばディスプレイやプリンタ等を用いることができる。
【００３７】
ポート２３０は通信を行うための装置である。例えばネットワーク５００を介して行われる、利用者端末１００等の他のコンピュータとの通信は、ポート２３０を介して行われるようにすることができる。また例えば、光ケーブル心線管理サーバ制御プログラム７１０をポート２３０を通じて他のコンピュータからネットワーク５００を介して受信して、メモリ２２０や記憶装置２８０に記憶するようにすることもできる。
【００３８】
＜利用者端末＞
利用者端末１００は、ＣＰＵ１１０、メモリ１２０、ポート１３０、記録媒体読取装置１４０、入力装置１５０、出力装置１６０、記憶装置１８０を備える。  
これらの各装置の機能は、上述した光ケーブル心線管理サーバ２００が備える各装置と同様である。  
また、利用者端末１００の記憶装置１８０には、図４に示すように、利用者端末制御プログラム７００が記憶され、ＣＰＵ１１０によって実行されることにより、利用者端末１００としての各種機能が実現される。例えば利用者端末制御プログラム７００は、光ケーブル心線管理サーバ２００との通信を制御し、ブラウザ機能を実現する。
【００３９】
＝＝＝系統図のラベル表示処理＝＝＝
次に、本実施の形態に係る光ケーブル心線管理サーバ２００により実行される、系統図のラベル表示処理について、図１４乃至図１６を参照しながら説明する。図１４は、表示するラベルを選択する様子を示す図である。図１５は、系統図にラベルが表示されている様子を示す図である。図１６は、系統図のラベル表示処理の流れを示すフローチャートである。なお図１４及び図１５に示す系統図において、黒丸で示す図形はクロージャや局、建物等の中継設備を表し、黒丸間をつなぐ線画図形は、光ケーブルを表す。
【００４０】
まず光ケーブル心線管理サーバ２００は、系統図表示要求の入力を受けると（S1000）、系統図管理データベース６８０、クロージャ管理データベース６００、局管理データベース６１０、お客様管理データベース６２０、建物管理データベース６３０、ＣＴＦ／ＩＤＦ管理データベース６４０、ケーブル管理データベース６５０の各データベースを参照し、光ケーブルを示す線画図形及び中継設備を示す図形により、光ケーブル及び中継設備の接続関係を示す系統図を生成する（S1010）。そして光ケーブル心線管理サーバ２００は、生成した系統図を表示する（S1020）。その際光ケーブル心線管理サーバ２００は、図１５に示すように、各光ケーブルを示す線画図形の近傍に、各光ケーブルの属性情報を表示する。
【００４１】
図１５に示す例では、各光ケーブルの線画図形に重ねて、各光ケーブルについて「総心線数」、「所有心線数」、「空きテープ数（前日値）」、「空き心線数（前日値）」、「ケーブル実長」が表示されている。「総心線数」は、光ケーブル内の心線の数を表す。「所有心線数」は、光ケーブル内の総心線数のうちの所有する心線の数を表す。「空きテープ数（前日値）」は、光ケーブル内において回線が設定済みの心線を含まない心線束の数を表す。ここで上述したように、心線束内には心線が１本の場合（以下、１心テープとも記す）や、２本の場合（以下、２心テープとも記す）、４本の場合（以下、４心テープとも記す）、８本の場合（以下、８心テープとも記す）がある。１心テープ、２心テープ、４心テープの場合は、テープ内の全心線が「空き」の場合に「空きテープ」であると判定する。８心テープの場合は、８心テープを更に「前テープ（１〜４番心線）」と「後テープ（５〜８番心線）」に分けて考える。そして、前テープ・後テープのいずれか（または両方）が「空きテープ」であれば、その８心テープは「空きテープ」であると判定する。これは、８心テープは１〜４（前テープ）と５〜８（後テープ）の心線でテープ構造になっており、ＦＴＴＨの設計上、４心テープを基本にしていることから、８心テープであっても前テープか後テープのいずれかが４心テープ単位で空きであれば、空きテープ数を「１」とカウントしているためである。「空き心線数（前日値）」は、光ケーブル内において回線が未設定の心線の数（回線の設定状況を示す情報）を表す。「ケーブル実長」は、光ケーブルの長さを表す。
【００４２】
これらの「総心線数」、「所有心線数」、「空きテープ数（前日値）」、「空き心線数（前日値）」、「ケーブル実長」の各値は、ケーブル管理データベース６５０、心線管理データベース６６０に記憶されている情報に基づいて、表示される。
【００４３】
また図１５に示すように、本実施の形態に係る光ケーブル心線管理サーバ２００は、表示すべき全てのラベルを表示しきれない場合には、表示可能なラベルのみを表示しておき、マウスのカーソルがラベルに重ねあわされたことを検知した場合に、全ての属性を表示するようにしている。このようにすることにより、系統図の見やすさを損なうことなく、各光ケーブルの属性を表示することが可能となる。
【００４４】
また本実施の形態に係る光ケーブル心線管理サーバ２００は、図１４に示すように、光ケーブルを示す線画図形の近傍に表示させる光ケーブルの属性を指定する入力を受けるようにすることもできる。図１４に示す例では、「総心線数」、「所有心線数」、「空きテープ数（前日値）」、「空き心線数（前日値）」、「ケーブル実長」の指定を受けることができる。この場合光ケーブル心線管理サーバ２００は、指定された属性について、各光ケーブルを示す線画図形の近傍に表示する。これにより、回線設定作業者が知りたい属性についてのみ系統図上に表示させるようにすることが可能となり、回線設定作業の容易化を図ることができる。
【００４５】
＝＝＝空き心線率の算出処理＝＝＝
また、本実施の形態に係る光ケーブル心線管理サーバ２００は、指定された光ケーブルについて、空き心線率を算出する処理を実行することができる。空き心線率とは、光ケーブル内において回線が未設定の心線の数の割合を示す値である。
【００４６】
光ケーブル心線管理サーバ２００は、光ケーブルを指定する情報の入力を受けると、ケーブル管理データベース６５０及び心線管理データベース６６０を参照することにより、その光ケーブルについて、総心線数（心線の数）と各心線についての空き状態（回線の設定状況）を把握する。そして光ケーブル心線管理サーバ２００は、空き状態が「空き」の心線の数を総心線数で除算することにより、空き心線率を算出する。
【００４７】
また光ケーブル心線管理サーバ２００は、算出した空き心線率をファイルに出力する。これにより、指定した光ケーブルについて、回線の空き状況を分析することが可能となる。
【００４８】
また、本実施の形態に係る光ケーブル心線管理サーバ２００は、指定された光ケーブル内において、回線が設定済みの心線を含まない心線束の数の割合を示す、空き心線束率を算出する処理を実行することもできる。
【００４９】
光ケーブル心線管理サーバ２００は、光ケーブルを指定する情報の入力を受けると、ケーブル管理データベース６５０及び心線管理データベース６６０を参照することにより、その光ケーブルについて、総心線束数と各心線についての空き状態（回線の設定状況）を把握する。そして光ケーブル心線管理サーバ２００は、心線束内の全ての心線が「空き」である心線束の数を総心線束数で除算することにより、空き心線束率を算出する。
【００５０】
また光ケーブル心線管理サーバ２００は、算出した空き心線束率をファイルに出力する。これにより、指定した光ケーブルについて、心線束の空き状況を分析することが可能となる。
【００５１】
＝＝＝不良属性の表示＝＝＝
また、本実施の形態に係る光ケーブル心線管理サーバ２００は、回線の設定作業時に、作業者が障害のある心線に回線を設定しようとしている場合に、その旨のメッセージを表示することができる。例えば、「指定された心線には障害があります。他の心線を指定してください」等のメッセージを表示する。
【００５２】
回線の設定は、光ケーブル内の心線を指定した、心線への回線の設定要求を入力することにより行われる。光ケーブル心線管理サーバ２００は、上記入力を受けると、心線管理データベース６６０を参照する。そして、指定された心線に障害がある旨の情報が記憶されている場合には、その心線への回線の設定は行えない旨のメッセージを表示する。
【００５３】
このようにすることにより、作業者は、いちいちどの心線が正常でどの心線が異常であるかを気にせずに、回線の設定作業を行うことが可能となる。光ケーブルの場合、１本の光ケーブル内には多数の心線があるため、１本の心線が不良であっても、その心線を修理するのではなく、それ以外の正常な心線を利用する方が効率的であるからである。
【００５４】
以上、本実施の形態について説明したが、本実施の形態によれば、光ケーブルを示す線画図形及び中継設備を示す図形によって、光ケーブル及び中継設備の接続関係を示す系統図を表示する際に、各光ケーブルの属性情報を、各光ケーブルの線画図形の近傍に表示することができるので、各光ケーブルの属性を迅速に把握することが可能となる。またこれにより、光ケーブルへの回線の設定作業の負担を軽減することが可能となる。
【００５５】
なお上記実施の形態は本発明の理解を容易にするためのものであり、本発明を限定して解釈するためのものではない。本発明はその趣旨を逸脱することなく変更、改良され得ると共に、本発明にはその等価物も含まれる。
【図面の簡単な説明】
【００５６】
【図１】本実施の形態に係る光ケーブル心線管理システムの全体構成を示す図である。
【図２】本実施の形態に係る光ケーブル心線管理サーバ、利用者端末の構成を示す図である。
【図３】本実施の形態に係る光ケーブル心線管理サーバの記憶装置の構成を示す図である。
【図４】本実施の形態に係る利用者端末の記憶装置の構成を示す図である。
【図５】本実施の形態に係るクロージャ管理データベースを示す図である。
【図６】本実施の形態に係る局管理データベースを示す図である。
【図７】本実施の形態に係るお客様管理データベースを示す図である。
【図８】本実施の形態に係る建物管理データベースを示す図である。
【図９】本実施の形態に係るＣＴＦ／ＩＤＦ管理データベースを示す図である。
【図１０】本実施の形態に係るケーブル管理データベースを示す図である。
【図１１】本実施の形態に係る心線管理データベースを示す図である。
【図１２】本実施の形態に係る心線接続属性管理データベースを示す図である。
【図１３】本実施の形態に係る系統図管理データベースを示す図である。
【図１４】本実施の形態に係る系統図が表示されている様子を示す図である。
【図１５】本実施の形態に係る系統図において各光ケーブルを示す線画図形の近傍に光ケーブルの属性情報が表示されている様子を示す図である。
【図１６】本実施の形態に係る系統図ラベル表示処理の流れを示すフローチャートである。
【符号の説明】
【００５７】
１００  利用者端末
２００  光ケーブル心線管理サーバ
４００  記録媒体
５００  ネットワーク
６００  クロージャ管理データベース
６１０  局管理データベース
６２０  お客様管理データベース
６３０  建物管理データベース
６４０  ＣＴＦ／ＩＤＦ管理データベース
６５０  ケーブル管理データベース
６６０  心線管理データベース
６７０  心線接続属性管理データベース
６８０  系統図管理データベース
７００  利用者端末制御プログラム
７１０  光ケーブル心線管理サーバ制御プログラム
９００  光ケーブル心線管理システム
【図１】
2007164689.tif 000003
【図２】
2007164689.tif 000004
【図３】
2007164689.tif 000005
【図４】
2007164689.tif 000006
【図５】
2007164689.tif 000007
【図６】
2007164689.tif 000008
【図７】
2007164689.tif 000009
【図８】
2007164689.tif 000010
【図９】
2007164689.tif 000011
【図１０】
2007164689.tif 000012
【図１１】
2007164689.tif 000013
【図１２】
2007164689.tif 000014
【図１３】
2007164689.tif 000015
【図１６】
2007164689.tif 000016
【図１４】
2007164689.tif 000017
【図１５】
2007164689.tif 000018